(57)【特許請求の範囲】
【請求項１】
中棒（２）の上端側に設けられ且つ親骨（７）が枢支された上ろくろ（３）と、
前記親骨（７）により支持された傘シート（１１）を前記上ろくろ（３）との間で挟んで固定する陣笠（２２）と、
該陣笠（２２）上に設けられ且つ内部に発光室（２４）を有する石突き（４）と、
前記発光室（２４）内からその周壁部（２５）に光を照射して発光させる発光ダイオード（１３）と、
前記親骨（７）が開く開位置（Ａ）と前記中棒（２）に沿って閉じる閉位置（Ｂ）との間で前記中棒（２）に沿って摺動するろくろ（５，６）と、
前記発光ダイオード（１３）用の点灯・消灯スイッチ（１４）とを備えた発光式傘において、
前記ろくろ（５，６）を検知して該ろくろ（５，６）が前記開位置（Ａ）にあるときに前記発光ダイオード（１３）を点灯させる前記点灯・消灯スイッチ（１４）を設け、
前記発光室（２４）内で上向きに光を照射する前記発光ダイオード（１３）を前記陣笠（２２）の上端から突出しないように前記陣笠（２２）内に配置し、
前記石突き（４）内の前記発光室（２４）の上側に、前記発光ダイオード（１３）からの光を前記周壁部（２５）の周方向の略全域に反射する反射面（２７）を設けた
ことを特徴とする発光式傘。
【請求項２】
前記中棒（２）内に前記点灯・消灯スイッチ（１４）を設けた
ことを特徴とする請求項１に記載の発光式傘。
【請求項３】
前記中棒（２）を金属製とし、握り部（１）内の電源（１５）と前記点灯・消灯スイッチ（１４）とを前記中棒（２）を介して接続した
ことを特徴とする請求項１又は２に記載の発光式傘。
【請求項４】
前記石突き（４）の前記周壁部（２５）と前記発光室（２４）の上側部とを光透過性合成樹脂により一体に形成し、
前記石突き（４）の上端に、耐摩耗性及び遮光性を有し且つ該石突き（４）を上側から覆うカバー（２９）を設けた
ことを特徴とする請求項１〜３の何れかに記載の発光式傘。
【請求項５】
前記周壁部（２５）の内周面に発光用の乱反射部（２８）を設けた
ことを特徴とする請求項１〜４の何れかに記載の発光式傘。
【請求項６】
前記上ろくろ（３）に放射状に枢着された前記親骨（７）と、前記中棒（２）に摺動自在に套嵌され且つ前記親骨（７）の中間に連結された受け骨（８）を枢着する中ろくろ（５）と、前記中棒（２）に摺動自在に套嵌され且つ前記受け骨（８）に連結された引き線（９）を枢着する下ろくろ（６）と、前記中ろくろ（５）と前記下ろくろ（６）との間で前記中棒（２）に套嵌された圧縮バネ（１２）とを備えたジャップ式であり、
前記点灯・消灯スイッチ（１４）は前記中ろくろ（５）又は前記下ろくろ（６）を検知する
ことを特徴とする請求項１〜５の何れかに記載の発光式傘。
【発明の詳細な説明】
【技術分野】
【０００１】
本発明は、傘頂部の石突きを発光させるようにした発光式傘に関するものである。
【背景技術】
【０００２】
傘には雨傘、日傘、その他のものがある。この種の各種の傘において、夜間の降雨時の安全対策として、傘頂部の石突き、親骨の先端の露先に発光ダイオード等の報知用の発光体を設けて、その発光体により石突き、露先を発光させて車両等に対して歩行者の存在を報知するようにしたものが提案されている（特許文献１、２）。
【０００３】
例えば特許文献１の傘は、中棒の先端の石突き内に発光体を設け、握り部側の点灯・消灯スイッチを操作することにより発光体が点灯して石突きを発光させるようになっている。また特許文献２の傘は、親骨の先端の露先内に発光体を設け、握り部側の点灯・消灯スイッチを操作することにより発光体が点灯して露先を発光させるようになっている。
【先行技術文献】
【特許文献】
【０００４】
【特許文献１】特開平９−７０３７号公報
【特許文献２】特開平１０−１４６２０９号公報
【発明の概要】
【発明が解決しようとする課題】
【０００５】
このような発光式傘は、車両等に対して歩行者の存在を効果的に報知でき、降雨時の夜間における交通事故等を未然に防止できる利点がある。しかし、従来の発光式傘は、何れもその握り部に点灯・消灯スイッチがあり、その点灯・消灯スイッチを使用者が手指で操作して点灯し消灯するようになっているため、点灯・消灯スイッチの操作忘れを未然に防止できないという致命的な欠点がある。
【０００６】
そのため例えば傘を拡げる際に点灯・消灯スイッチの操作を忘れると、発光体が消灯した状態のままで傘を使用することとなり、車両等に歩行者の存在を報知するという本来の目的を達成できず、交通事故を招く等の惧れがある。また傘を閉じる際に点灯・消灯スイッチの操作を忘れると、発光体が点灯した状態のままで長時間放置することとなり、電力を無駄に消費するばかりか、夜間での使用時に電力不足により発光体が発光しなくなるような事態を招くことになる。
【０００７】
更に従来は使用者が点灯・消灯スイッチを操作して発光体の電源回路をオン・オフするようになっているため、点灯・消灯スイッチとして記憶式のものを使用するか、又は点灯・消灯スイッチと発光体との間に記憶回路を設ける必要があり、全体の構成が複雑になる欠点がある。
【０００８】
本発明は、このような従来の問題点に鑑み、開閉時の点灯・消灯スイッチの操作忘れを未然に防止できると共に、点灯・消灯スイッチに記憶機能のないものを使用できる等、全体の構成を簡素化できる発光式傘を提供することを目的とする。
【課題を解決するための手段】
【０００９】
本発明は、中棒２の上端側に設けられ且つ親骨７が枢支された上ろくろ３と、前記親骨７により支持された傘シート１１を前記上ろくろ３との間で挟んで固定する陣笠２２と、該陣笠２２上に設けられ且つ内部に発光室２４を有する石突き４と、前記発光室２４内からその周壁部２５に光を照射して発光させる発光ダイオード１３と、前記親骨７が開く開位置Ａと前記中棒２に沿って閉じる閉位置Ｂとの間で前記中棒２に沿って摺動するろくろ５，６と、前記発光ダイオード１３用の点灯・消灯スイッチ１４とを備えた発光式傘において、前記ろくろ５，６を検知して該ろくろ５，６が前記開位置Ａにあるときに前記発光ダイオード１３を点灯させる前記点灯・消灯スイッチ１４を設け、前記発光室２４内で上向きに光を照射する前記発光ダイオード１３を前記陣笠２２の上端から突出しないように前記陣笠２２内に配置し、前記石突き４内の前記発光室２４の上側に、前記発光ダイオード１３からの光を前記周壁部２５の周方向の略全域に反射する反射面２７を設けたものである。
【００１０】
前記中棒２内に前記点灯・消灯スイッチ１４を設けてもよい。前記中棒２を金属製とし、握り部１内の電源１５と前記点灯・消灯スイッチ１４とを前記中棒２を介して接続してもよい。前記石突き４の前記周壁部２５と前記発光室２４の上側部とを光透過性合成樹脂により一体に形成し、前記石突き４の上端に、耐摩耗性及び遮光性を有し且つ該石突き４を上側から覆うカバー２９を設けてもよい。前記周壁部２５の内周面に発光用の乱反射部２８を設けてもよい。
【００１２】
前記上ろくろ３に放射状に枢着された前記親骨７と、前記中棒２に摺動自在に套嵌され且つ前記親骨７の中間に連結された受け骨８を枢着する中ろくろ５と、前記中棒２に摺動自在に套嵌され且つ前記受け骨８に連結された引き線９を枢着する下ろくろ６と、前記中ろくろ５と前記下ろくろ６との間で前記中棒２に套嵌された圧縮バネ１２とを備えたジャップ式であり、前記点灯・消灯スイッチ１４は前記中ろくろ５又は前記下ろくろ６を検知するようにしてもよい。
【発明の効果】
【００１３】
本発明によれば、開閉時の点灯・消灯スイッチの操作忘れを未然に防止できると共に、点灯・消灯スイッチに記憶機能のないものを使用できる等、全体の構成を簡素化できる利点がある。
【図面の簡単な説明】
【００１４】
【図１】本発明の第１の実施形態を例示するジャンプ傘の構成図である。
【図２】同傘頂部の断面図である。
【図３】同点灯・消灯スイッチの周辺部分の断面図である。
【図４】同握り部周辺の断面図である。
【図５】同電気回路図である。
【図６】本発明の第２の実施形態を例示する点灯・消灯スイッチの周辺部分の断面図である。
【図７】本発明の第３の実施形態を例示する傘頂部の断面図である。
【図８】本発明の第４の実施形態を例示する傘頂部の断面図である。
【図９】本発明の第５の実施形態を例示する露先周辺の断面図である。
【図１０】本発明の第６の実施形態を例示する傘上部の断面図である。
【図１１】本発明の第７の実施形態を例示する電気回路図である。
【図１２】同波形図である。
【発明を実施するための形態】
【００１５】
以下、本発明の各実施形態を図面に基づいて詳述する。図１〜図５は本発明をジャンップ型の発光式傘に採用した第１の実施形態を例示する。この発光式傘は、図１に示すように下端に握り部１を有する金属パイプ等の中棒２と、この中棒２の上端に設けられた上ろくろ３及び石突き４と、上ろくろ３の下側で中棒２に開位置Ａと閉位置Ｂとの間で上下摺動自在に套嵌された中ろくろ５及び下ろくろ６と、上ろくろ３に開閉自在に枢着された複数本の親骨７と、一端が各親骨７の中間に連結され且つ他端が中ろくろ５に枢着された複数本の受け骨８と、一端が各受け骨８の中間に連結され且つ他端が下ろくろ６に枢着された複数本の引き線９と、外周が親骨７の先端の露先１０に縫着又は連結され且つ親骨７上に張られた傘シート１１と、中ろくろ５と下ろくろ６との間で中棒２に套嵌された圧縮バネ１２と、石突き４を内側から発光させる発光ダイオード等の報知用の発光体１３と、中棒２内に設けられ且つ開位置Ａの中ろくろ５を検知する点灯・消灯スイッチ１４と、握り部１内に設けられた発光用の電源１５とを備えている。
【００１６】
なお、この発光式傘は握り部１の近傍で中棒２に設けられたはじき１６が閉位置Ｂの下ろくろ６に係合することにより閉じた状態に保持され、また操作ボタン１７を操作することにより、はじき１６が下ろくろ６から外れて、圧縮バネ１２の付勢により中ろくろ５、下ろくろ６が開位置Ａへと移動して親骨７、傘シート１１が拡がるようになっている。
【００１７】
上ろくろ３は図２に示すようにその筒部２０を挿入することにより中棒２の上端に固定され、また上側に突出するねじ筒部２１を有し、上ろくろ３との間で傘シート１１を固定する陣笠２２がねじ筒部２１に着脱自在に螺合されている。石突き４用の発光体１３は、陣笠２２内でねじ筒部２１の上端に着脱自在又は固定状に嵌合された絶縁体２３に設けられ、石突き４内に向かって上向き（ａ矢示方向）に光を照射するようになっている。
【００１８】
石突き４は光透過性を有する合成樹脂製であって、図２に示すように内部に発光室２４が形成されたテーパー筒状の発光用の周壁部２５と、この周壁部２５の下端に一体に形成された雌ねじ部２６と、周壁部２５の上端に一体に形成され且つ発光体１３からの光を周壁部２５の内周に反射する反射面２７とを備え、雌ねじ部２６が陣笠２２の外周に着脱自在に螺合されている。周壁部２５の内周面は光が乱反射するように粗面状、その他の乱反射部２８を有する。石突き４の上端には、耐摩耗性、遮光性を有するカバー２９が装着されている。
【００１９】
点灯・消灯スイッチ１４は、この傘を拡げた状態のときに中ろくろ５を検知してオンすることにより発光体１３を点灯して発光させ、また閉じた状態のときにオフして発光体１３を消灯させるようになっている。この点灯・消灯スイッチ１４には、図３に示すように中棒２の径方向の一方側に段部３１を介して検知子３２を有し、他方側に係合突部３３を有する弾性接触子３４を備えた可動式のノーマルオープン型のもの（図５参照）が使用されている。
【００２０】
この点灯・消灯スイッチ１４は開位置Ａの中ろくろ５に対応して中棒２内に挿入され、その段部３１が中棒２の開口３５に係合し、弾性接触子３４が中棒２の内面に押圧し且つ係合突部３３が中棒２の係合孔３６に係合することにより、中棒２内に固定されている。なお、弾性接触子３４は点灯・消灯スイッチ１４側の導体を構成し、導体である中棒２の内周面に接触している。検知子３２は中棒２の開口３５から径方向の外方に出退自在に突出しており、中ろくろ５が開位置Ａのときにその内周面により押圧されて、点灯・消灯スイッチ１４がオンするようになっている。
【００２１】
握り部１は図４に示すように主握り体３８と、中棒２が固定された着脱体３９とを着脱自在に備え、その内部の収容凹部４０に乾電池等の電源１５が着脱自在に収容されている。主握り体３８は上向きに開口する収容凹部４０と、その収容凹部４０の開口側に形成された雌ねじ部４１とを中棒２の長手方向に備え、その収容凹部４０内に電源１５が着脱自在に挿入されている。
【００２２】
着脱体３９は収容凹部４０の蓋を構成するもので、中棒２が上下方向に貫通状に設けられ、外周の雄ねじ筒部４２を介して主握り体３８の雌ねじ部４１に着脱自在に螺合されている。中棒２の下端には絶縁体４３が装着され、この絶縁体４３に一対の導体４４，４５が設けられている。一方の導体４４は一端の接触部４４ａが収容凹部４０内の電源１５の−側に接触し、他端の接触部４４ｂが中棒２の内周面に接触している。従って、電源１５の−側は導体４４、中棒２、弾性接触子３４を介して点灯・消灯スイッチ１４の一方の固定接点に接続されている。他方の導体４５は絶縁体４３の外周に設けられた環状の接触部４５ａを一端側に有し、他端側の中棒２内側に被覆配線等の配線４６が接続されている。配線４６は中棒２内に挿通され、筒部２０内を経て発光体１３の一端側に接続されている。
【００２３】
収容凹部４０の内面には中棒２の長手方向に配置された導体４７が固定されている。この導体４７は電源１５の＋側に接触する接触部４７ａを一端側に有し、絶縁体４３の外周の接触部４５ａに径方向の外側から接触する接触部４７ｂが他端側に設けられている。点灯・消灯スイッチ１４の他方の固定接点は、図３に示すように中棒２、筒部２０内に挿通された被覆配線等の配線４８を介して発光体１３の他端側に接続されている。
【００２４】
なお、上ろくろ３の下側には図１、図２に示すように緩衝バネ４９を介して規制筒５０が設けられ、この規制筒５０により、傘を拡げたときに中ろくろ５を開位置Ａに規制するようになっている。
【００２５】
このような構成のジャンプ型の傘は、通常の閉じた状態では握り部１の近傍のはじき１６が閉位置Ｂの下ろくろ６に係合して親骨７等が拡がらないように保持する。このときには中ろくろ５が点灯・消灯スイッチ１４の検知子３２から外れているため、点灯・消灯スイッチ１４がオンすることはなく、発光体１３は必ず消灯状態にある。
【００２６】
傘を拡げるときには、操作ボタン１７を押圧してはじき１６を下ろくろ６から外す。すると中ろくろ５と下ろくろ６との間の圧縮バネ１２の付勢により、中ろくろ５、下ろくろ６が中棒２に沿って上ろくろ３側へと開位置Ａまで摺動し、親骨７、傘シート１１が拡がる。なお、最大の広がり状態では、中ろくろ５が規制筒５０に当接して規制される。
【００２７】
一方、中ろくろ５が開位置Ａまで摺動すると、中棒２の外周に突出していた検知子３２が中ろくろ５の内周面により押圧されて点灯・消灯スイッチ１４がオンするため、発光体１３、点灯・消灯スイッチ１４、電源１５を含む閉回路が構成されて発光体１３が点灯するので、その発光体１３の光により石突き４が内側から発光する。
【００２８】
このように点灯・消灯スイッチ１４が開位置Ａの中ろくろ５を検知するように構成することにより、点灯・消灯スイッチ１４を人為的に操作する煩わしさがなく、しかも傘を拡げる際、閉じる際の操作忘れを未然に防止できるので、石突き４の発光により歩行者の存在を車両等に対して確実に報知できると共に、電源１５の無駄な消費を解消できる利点がある。
【００２９】
また点灯・消灯スイッチ１４で開位置Ａの中ろくろ５を検知する構成を採用しており、傘を拡げている間は点灯・消灯スイッチ１４が検知状態を継続し、傘を閉じれば検知しなくなるので、点灯・消灯スイッチ１４を含む構成を簡単にすることができる。更に金属製の中棒２を導体の一部として利用しており、これによっても構造の簡素化を図ることができる。
【００３０】
図６は本発明の第２の実施形態を例示する。この実施形態では、開位置Ａの下ろくろ６の小径の筒部６ａに対応して点灯・消灯スイッチ１４が設けられている。点灯・消灯スイッチ１４を含む他の構成は、第１の実施形態と同様である。
【００３１】
このように点灯・消灯スイッチ１４は開位置Ａの下ろくろ６を検知して作動するように構成することもできる。従って、ジャンプ傘では、中ろくろ５と下ろくろ６との二つのろくろが開位置Ａと閉位置Ｂとの間で摺動自在であるため、点灯・消灯スイッチ１４はその何れを検知するようにしてもよい。
【００３２】
図７は本発明の第３の実施形態を例示する。この実施形態では、石突き４の内部に、反射角度の異なる円錐面状の反射面２７ａ〜２７ｃが略同心状に多段に形成され、発光体１３からの光を各反射面２７ａ〜２７ｃで反射して周壁部２５の長手方向の略全域に照射するようになっている。他の構成は第１又は第２の実施形態と同様である。
【００３３】
この場合には各反射面２７ａ〜２７ｃで発光体１３からの光を周壁部２５の長手方向の略全域に照射するようにしているため、石突き４の発光領域、特に高輝度での発光領域を容易に確保できる利点がある。
【００３４】
図８は本発明の第４の実施形態を例示する。この実施形態では、截頭円錐筒状の石突き４内に拡散体５１が設けられ、発光体１３からの光を拡散体５１で拡散させて石突き４の周壁部２５を発光させるように構成されている。他の構成は第１又は第２の実施形態と同様である。
【００３５】
このように石突き４内に拡散体５１を設けた場合にも、石突き４を外周側から見たときに、発光体１３からの光により石突き４を発光させることができる。そのため周壁部２５の内周の乱反射部２８は省略できる。また石突き４内に拡散体５１が詰まって中実状となっているため、石突き４の損傷を少なくできる利点がある。なお、拡散体５１は石突き４内に一体に設けてもよい。
【００３６】
図９は本発明の第５の実施形態を例示する。この実施形態では、露先１０内に報知用の発光体１３が設けられている。露先１０は筒状の取り付け部を１０ａを有し、その取り付け部１０ａを介して親骨７の先端に着脱自在に取り付けられている。発光体１３の配線５２は親骨７内にその長手方向に設けられている。他の構成は各実施形態と同様である。このように露先１０を発光させるようにしてもよい。なお、石突き４の発光と露先１０の発光とを併用してもよいし、露先１０のみを発光させるようにしてもよい。
【００３７】
図１０は本発明の第６の実施形態を例示する。この実施形態は、上ろくろ３の下側に、受け骨８が枢着された下ろくろ６が設けられ、その下ろくろ６を開位置Ａではじき５４により規制するようにした非ジャンプ式の通常の傘に採用したものである。点灯・消灯スイッチ１４は、開位置Ａの下ろくろ６に対応して中棒２内に設けられている。
【００３８】
このように開閉時に下ろくろ６を中棒２に沿って操作する通常の傘の場合にも、その下ろくろ６の開位置Ａに対応して中棒２内に点灯・消灯スイッチ１４を設けることによって、第１の実施形態と同様に点灯・消灯スイッチ１４の人為的な操作が不要となり、点灯・消灯スイッチ１４の操作忘れによる問題を未然に防止できる。なお、この実施形態では、第１の実施形態と同様に石突き４の内部に発光体１３を設けているが、石突き４と露先１０との両方に設けてもよいし、露先１０に設けてもよい。
【００３９】
図１１、図１２は本発明の第７の実施形態を例示する。この実施形態では、図１１に示すように発光体１３の点灯周期を制御する制御部５５が設けられ、この制御部５５により発光体１３を所定の周期で点滅させるようになっている。発光体１３の点滅周期は図１２の（Ａ）に示すように略一定でもよいし、（Ｂ）に示すように長い周期の点滅と短い周期の点滅とを繰り返すようにしてもよい。
【００４０】
このようにすれば、発光体１３の点滅発光により石突き４等の発光状態が変化するため、降雨時の車両等に対する報知効果を更に向上させることできる。
【００４１】
以上、本発明の各実施形態について詳述したが、本発明はこの各実施形態に限定されるものではなく、本発明の趣旨を逸脱しない範囲で種々の変更が可能である。例えば、石突き４用の発光体１３は、第１の実施形態のように陣笠２２に設けてもよいし、石突き４の内部に設けてもよい。露先１０用の発光体１３を露先１０の内部に設ける他、露先１０から外れて親骨７側に設けてもよい。
【００４２】
また石突き４は第１、第２の実施形態のように中空状にしてもよいし、中実状にしてその内部に発光体１３を埋め込んでもよい。周方向に複数個の発光体１３を支持体の外周に外向きに装着し、これを中空状の石突き４の内部に配置してもよい。
【００４３】
点灯・消灯スイッチ１４の取り付け箇所、点灯・消灯スイッチ１４の形状、構造等は、実施形態に例示する以外のものでもよい。例えば、点灯・消灯スイッチ１４は可動式の他に近接式のものを採用してもよいし、静止型のものを採用してもよい。要するに開位置Ａと閉位置Ｂとの間で移動するろくろを利用して、点灯・消灯スイッチ１４によりろくろ５，６が開位置Ａにあるか否かを検知できる構成であれば十分である。点灯・消灯スイッチ１４は中棒２の外周に設けてもよい。
【００４４】
また発光体１３を発光させる必要があるか否かを判断するための光センサーを石突き４の近傍等の適当箇所に設けて、その光センサーと点灯・消灯スイッチ１４とを直列に接続する等により併用して、所定以上に暗くなったときに石突き４等の発光体１３が発光するようにしてもよい。発光体１３を設けるに当たって、石突き４、露先１０内の発光室２４は省略して、発光体１３を石突き４、露先１０内にモールド状に設けてもよい。
【００４５】
電源１５は握り部１の収容凹部４０内に着脱自在に収容することが望ましいが、他の箇所に設けてもよい。また握り部１の収容凹部４０に電源１５を設けるに当たっても、その構造は適宜変更可能である。例えば、握り部１に、外周面側に開口する収容凹部４０を設け、その収容凹部４０の開口側に着脱自在に蓋を設けてもよい。
【００４６】
また発光式傘は傘の範疇に入るものであれば雨傘の他、日傘、ビーチパラソル、その他何れでもよい。また和傘等でもよい。和傘の場合には、その傘頂部及び／又は親骨７の先端を発光させるようにしてもよい。導電部分に雨水等が浸入しないように防水処理をすることが望ましい。石突き４内の発光体１３は下向きに発光するようにしてもよい。はじき５４を有する傘の場合には、そのはじき５４の作動を介して点灯・消灯スイッチ１４が開位置Ａの下ろくろ６を検出するようにしてもよい。
【符号の説明】
【００４７】
２  中棒
３  上ろくろ
４  石突き
５  中ろくろ
６  下ろくろ
７  親骨
８  受け骨
９  引き線
１０  露先
１３  発光体
１４  点灯・消灯スイッチ
１５  電源
２４  発光室
２５  周壁部
２７  反射面
５１  拡散体
Ａ  開位置
Ｂ  閉位置
【図１】
0005789419.tif 000002
【図２】
0005789419.tif 000003
【図３】
0005789419.tif 000004
【図４】
0005789419.tif 000005
【図５】
0005789419.tif 000006
【図６】
0005789419.tif 000007
【図７】
0005789419.tif 000008
【図８】
0005789419.tif 000009
【図９】
0005789419.tif 000010
【図１０】
0005789419.tif 000011
【図１１】
0005789419.tif 000012
【図１２】
0005789419.tif 000013